【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
始動条件が成立した後に開始条件が成立したことに基づいて、各々が識別可能な複数種類の識別情報を可変表示する複数の可変表示部を有する可変表示装置を備え、前記識別情報の可変表示結果が予め定められた特定表示結果となった後に、遊技者にとって有利な特定遊技状態に制御する遊技機であって、
前記始動条件は成立したが前記開始条件は成立していない可変表示の保留データを記憶する保留記憶手段と、
前記保留記憶手段に記憶される保留データに基づいて、前記特定遊技状態に制御されるか否かを、前記開始条件が成立する以前に判定する事前判定手段と、
前記開始条件の成立に基づいて、前記識別情報の可変表示パターンを複数種類のいずれかに決定する可変表示パターン決定手段と、
前記可変表示パターン決定手段の決定結果に対応する演出動作を実行する演出実行手段とを備え、
前記演出実行手段は、
前記開始条件が１回成立したことに対応して、全ての前記複数の可変表示部にて前記識別情報の変動表示を開始させてから、全ての前記複数の可変表示部にて前記識別情報を仮停止表示させた後、全ての前記複数の可変表示部にて前記識別情報の再変動表示を開始させる再変動表示動作を所定回実行し、再変動表示された前記識別情報を停止表示させて前記可変表示結果を導出表示させる再変動表示実行手段と、
前記再変動表示動作の進行に伴って所定の再変動演出を実行する再変動演出実行手段と、
前記再変動表示動作を実行可能な可変表示パターンでの識別情報の可変表示中に成立した前記始動条件に対応して前記事前判定手段により前記特定遊技状態に制御される旨の判定がなされたことに基づいて、当該識別情報の可変表示が終了した後に実行される可変表示においても、前記再変動演出実行手段によって実行された再変動演出を継続させる演出継続実行手段とを含む、
ことを特徴とする遊技機。
【手続補正２】
【補正対象書類名】明細書
【補正対象項目名】００１１
【補正方法】変更
【補正の内容】
【００１１】
なお、前記保留記憶手段と、前記事前判定手段と、前記可変表示パターン決定手段とを含み、遊技の進行を制御する遊技制御手段（例えば主基板１１に搭載された遊技制御用マイクロコンピュータ１００のＲＯＭ１０１、ＲＡＭ１０２、ＣＰＵ１０３など）と、前記演出実行手段を含み、前記可変表示装置の表示状態を制御する演出制御手段（例えば演出制御基板１２に搭載された演出制御用ＣＰＵ１２０、ＲＯＭ１２１、ＲＡＭ１２２、表示制御部１２３など）とを備え、前記遊技制御手段は、前記可変表示パターン決定手段によって決定された可変表示パターンを特定可能な可変表示パターンコマンドを、前記演出制御手段に対して送信するコマンド送信手段（例えばＣＰＵ１０３がステップＳ２７６での送信設定に基づきステップＳ１７にてコマンド制御処理を実行する部分など）を含み、前記演出制御手段は、前記コマンド送信手段からのコマンドに基づき、前記再変動演出実行手段によって実行する再変動演出を、複数種類のいずれかに決定する再変動演出決定手段（例えば演出制御用ＣＰＵ１２０がステップＳ５０２にて擬似連時演出決定テーブル１７０を参照して演出コードを決定する部分など）と、前記演出継続実行手段によって継続させる再変動演出を、前記再変動演出決定手段によって決定された再変動演出に対応する演出となるように決定する継続演出決定手段（例えば演出制御用ＣＰＵ１２０がステップＳ５５４にて擬似連継続演出開始テーブル１７３Ａを参照して演出コードを決定する部分や、ステップＳ５５９にて擬似連継続演出連続設定テーブル１７３Ｂを参照して演出コードを決定する部分、あるいは、ステップＳ５６１〜Ｓ５６４の処理を実行する部分など）とを含んでもよい。
【手続補正３】
【補正対象書類名】明細書
【補正対象項目名】００１２
【補正方法】変更
【補正の内容】
【００１２】
なお、前記コマンド送信手段は、前記始動条件が成立したことを特定可能な始動指定コマンドとして、当該始動条件の成立に基づく前記事前判定手段の判定結果を特定可能な情報を含んだコマンドを、前記演出制御手段に対して送信し（例えばＣＰＵ１０３がステップＳ２０９での送信設定に基づきステップＳ１７にてコマンド制御処理を実行する部分など）、前記演出制御手段は、前記コマンド送信手段からの始動指定コマンドに基づき、前記演出継続実行手段により再変動演出を継続させるか否かを決定する再変動演出継続決定手段（例えば演出制御用ＣＰＵ１２０がステップＳ４０３〜Ｓ４１３の処理を実行した後に、ステップＳ５５３の処理を実行する部分など）を含んでもよい。
【手続補正４】
【補正対象書類名】明細書
【補正対象項目名】００１３
【補正方法】変更
【補正の内容】
【００１３】
なお、前記再変動演出実行手段は、全ての前記複数の可変表示部にて前記識別情報の変動表示または再変動表示を開始させた後、２つ以上の可変表示部にて前記識別情報を仮停止表示させ、当該仮停止表示した可変表示部の識別情報のうち一部を再変動表示させた後に再度仮停止表示させることにより仮停止表示した識別情報を変更してから、前記再変動表示動作を実行可能としてもよい（例えば演出制御用ＣＰＵ１２０がステップＳ４７２におけるＹｅｓの判定に基づきステップＳ４７８〜Ｓ４８７の処理を実行した後に、ステップＳ１５２にて飾り図柄変動中処理を実行する部分など）。
【手続補正５】
【補正対象書類名】明細書
【補正対象項目名】００１４
【補正方法】変更
【補正の内容】
【００１４】
なお、前記演出実行手段は、全ての前記複数の可変表示部にて前記識別情報の変動表示を開始させた後、前記複数の可変表示部のいずれかにて前記識別情報を仮停止表示していないときに、前記再変動表示動作が実行されるか否かを予告する再変動継続予告手段を含んでもよい（例えば演出制御用ＣＰＵ１２０がステップＳ５０３にて擬似連予告設定処理を実行した後に、ステップＳ１５２にて飾り図柄変動中処理を実行する部分など）。
【手続補正６】
【補正対象書類名】明細書
【補正対象項目名】００１５
【補正方法】変更
【補正の内容】
【００１５】
なお、遊技者にとって有利な第１状態（例えば開放状態など）と遊技者にとって不利な第２状態（例えば閉鎖状態など）とに変化する可変入賞装置（例えば特別可変入賞球装置７など）と、前記特定遊技状態として、前記可変入賞装置を第１期間（例えば２９秒など）が経過するまで前記第１状態に変化させる回数が第１回数（例えば「１５」など）となる第１特定遊技状態（例えば１５ラウンド大当り状態など）に制御する第１特定遊技状態制御手段（例えばＣＰＵ１０３がステップＳ２６０にて大当り種別を「通常」または「確変」に決定した後、ステップＳ１１４〜Ｓ１１７の処理を実行する部分など）と、前記特定遊技状態として、前記可変入賞装置を、前記第１期間よりも短い第２期間（例えば０．５秒など）、および、前記第１回数よりも少ない第２回数（例えば「２」など）のうち、少なくともいずれかで前記第１状態に変化させる第２特定遊技状態（例えば２ラウンド大当り状態など）に制御する第２特定遊技状態制御手段（例えばＣＰＵ１０３がステップＳ２６０にて大当り種別を「突確」に決定した後、ステップＳ１１４〜Ｓ１１７の処理を実行する部分など）と、前記第２特定遊技状態が終了した後に、前記識別情報の可変表示結果が前記特定表示結果となる確率が前記特定遊技状態とは異なる通常遊技状態時よりも高い高確率状態に制御する遊技状態制御手段（例えばＣＰＵ１０３がステップＳ２６０にて大当り種別を「突確」に決定したことに基づき、ステップＳ１１７にて大当り終了処理を実行した後に、ステップＳ２５５の処理を実行する部分など）とを備え、前記事前判定手段は、さらに前記特定遊技状態として前記第１特定遊技状態と前記第２特定遊技状態のいずれに制御されるかを判定し（例えばＣＰＵ１０３がステップＳ２２５の処理を実行する部分など）、前記演出継続実行手段は、前記再変動表示動作を実行可能な識別情報の可変表示中に成立した前記始動条件に対応して前記事前判定手段により前記第１特定遊技状態に制御される旨の判定がなされたことに基づいて、前記再変動演出を継続させ（例えば演出制御用ＣＰＵ１２０がステップＳ５５３におけるＮｏの判定に基づき、ステップＳ５５４〜Ｓ５５７の処理を実行した後に、ステップＳ１５２にて飾り図柄変動中処理を実行する部分など）、前記演出実行手段は、前記再変動表示動作を実行可能な識別情報の可変表示中に成立した前記始動条件に対応して前記事前判定手段により前記第２特定遊技状態に制御される旨の判定がなされたことに基づいて、当該識別情報の可変表示が終了した後に実行される可変表示において前記再変動演出とは異なる所定の演出を実行する特別演出実行手段（例えば演出制御用ＣＰＵ１２０がステップＳ５５３におけるＹｅｓの判定、ステップＳ５７１、Ｓ５７３、Ｓ５７４におけるＮｏの判定、および、ステップＳ５７５におけるＹｅｓの判定に基づき、ステップＳ５７６、Ｓ５７７の処理を実行した後に、ステップＳ１５２にて飾り図柄変動中処理を実行する部分など）を含んでもよい。
【手続補正７】
【補正対象書類名】明細書
【補正対象項目名】００１８
【補正方法】変更
【補正の内容】
【００１８】
なお、遊技の進行を制御する遊技制御手段とは異なる演出制御手段が、再変動演出を複数種類のいずれかに決定する再変動演出決定手段と、継続させる再変動演出を再変動演出決定手段によって決定された再変動演出に対応する演出となるように決定する継続演出決定手段とを含んでもよい。これにより、遊技制御手段における制御負担を増大させることなく、同一種類の再変動演出を継続させて、遊技の興趣を向上させることができる。
【手続補正８】
【補正対象書類名】明細書
【補正対象項目名】００１９
【補正方法】変更
【補正の内容】
【００１９】
なお、始動条件が成立したことを特定可能な始動指定コマンドに事前判定手段の判定結果を特定可能な情報が含まれており、再変動演出継続決定手段が、この始動指定コマンドに基づき、再変動演出を継続させるか否かを決定してもよい。これにより、事前判定手段の判定結果を示す専用のコマンドを送信する場合に比べて、演出制御手段に対して送信するために予め用意するコマンドの種類を削減することができる。
【手続補正９】
【補正対象書類名】明細書
【補正対象項目名】００２０
【補正方法】変更
【補正の内容】
【００２０】
なお、２つ以上の可変表示部にて識別情報を仮停止表示させ、仮停止表示した可変表示部の識別情報のうち一部を再変動表示させた後に再度仮停止表示させることにより仮停止表示した識別情報を変更してから、再変動表示動作が実行可能となるようにしてもよい。これにより、仮停止表示している一部の識別情報が再変動表示したことで、再変動表示動作が実行されることに対する期待感を高め、遊技の興趣を向上させることができる。
【手続補正１０】
【補正対象書類名】明細書
【補正対象項目名】００２１
【補正方法】変更
【補正の内容】
【００２１】
なお、複数の可変表示部のいずれかにて前記識別情報を仮停止表示していないときに、再変動継続予告手段により、再変動表示動作が実行されるか否かが予告されてもよい。これにより、再変動表示動作が実行されることに対する期待感を高め、遊技の興趣を向上させることができる。
【手続補正１１】
【補正対象書類名】明細書
【補正対象項目名】００２２
【補正方法】変更
【補正の内容】
【００２２】
なお、第２特定遊技状態制御手段により第２特定遊技状態に制御されたときに、第１特定遊技状態制御手段により制御される第１特定遊技状態における第１期間よりも短い第２期間、および、第１回数よりも少ない第２回数のうち、少なくともいずれかで可変入賞装置を第１状態に変化させてもよい。そして、再変動表示動作を実行可能な識別情報の可変表示中に成立した始動条件に対応して事前判定手段により第２特定遊技状態に制御される旨の判定がなされたことに基づいて、特別演出実行手段により、その識別情報の可変表示が終了した後に実行される可変表示において再変動演出とは異なる所定の演出が実行されてもよい。これにより、再変動表示動作を実行可能な識別情報の可変表示が終了した後でも、第２特定遊技状態に制御されることに対する遊技者の期待感を高めるとともに、第１特定遊技状態に制御されるか第２特定遊技状態に制御されるかに応じた多様な演出を実行可能として、遊技の興趣を向上させることができる。